(57)【要約】【課題】  従来よりも低コストで製作し得る低周波治療器を提供する。【解決手段】  ケース体１の先細状の先端に、生体に圧接するため電極２を設け、ケース体１は回路基板３ａ、電池３ｂを収納する本体ケース４と、電池収納部をカバーする電池カバー５から構成し、電池カバー５の表面にメッキ層５ａを形成し、この電池カバー５のメッキ層５ａを本体ケース４内で回路部のアースに接続する。治療時に、電池カバー５のメッキ層５ａを右手で握り、電極２を圧痛点に当てる。【選択図】      図１
0003102861.tif 000002
【実用新案登録請求の範囲】
【請求項１】
ケース体に、先端が先細状の第１の電極導子と、握手部に設けられる第２の電極導子と、前記第１と第２の電極間に設けられる絶縁体とを有し、ケース体内部に低周波発振部を含む回路基板と、電池とを収納する低周波治療器において、
前記ケース体は、本体と電池カバーとからなり、前記電池カバーの少なくとも表面に導電部を形成し、この導電部を握手部とすることを特徴とする低周波治療器。
【請求項２】
前記電池カバーの表面の導電部は、金属メッキ部であることを特徴とする請求項１記載の低周波治療器。
【請求項３】
前記電池カバーは本体装着時に前記メッキ部が電池のアース部に接触するように構成したことを特徴とする請求項２記載の低周波治療器。
【請求項４】
前記メッキ部は前記電池カバーの裏面まで形成され、この裏面のメッキ部が電池のアース部に接触するように構成したことを特徴とする請求項３記載の低周波治療器。
【考案の詳細な説明】
【技術分野】
【０００１】
この考案は、ケース体の握手部に電極導子を有する低周波治療器に関する。
【背景技術】
【０００２】
従来、治療者が圧痛点を自分で検索しながら、自分に適合した強さで治療し得る使用が簡便小型の低周波治療器として、ケース体の外形がペンシル状であり、ケース体が先細状の第１の電極導子と、握手部に設けられる第２の電極導子と、第１の電極導子と第２の電極導子間に設けられる絶縁体とから構成され、ケース体の内部に低周波発振部を含む回路基板と電池を収納するものが開示されている（例えば、特許文献１参照）。
【特許文献１】登録実用新案第２６０６８０７号公報
【考案の開示】
【考案が解決しようとする課題】
【０００３】
上記した従来の低周波治療器は、簡便小型で使用勝手が良いなどの優れた点大であるが、握手部である第２電極導子はケース体のかなりの部分を占め、円筒状の金属体であり、製作にシビアさが要求され、低コストの妨げになるという問題があり、更に低コストで製作し得るものが望まれていた。
【０００４】
この考案は上記問題点に着目してなされたものであって、従来よりも、より低コストで製作し得る低周波治療器を提供することを目的としている。
【課題を解決するための手段】
【０００５】
この考案の低周波治療器は、ケース体に、先端が先細状の第１の電極導子と握手部に設けられる第２の電極導子と、前記第１と第２の電極間に設けられる絶縁体を有し、ケース体内部に低周波発振部を含む回路基板と、電池とを収納する低周波治療器において、前記ケース体は、本体と電池カバーとからなり、前記電池カバーの少なくとも表面に導電部を形成し、この導電部を握手部とすることを特徴とする。
【０００６】
この考案において、前記電池カバーの導電部としては、例えば金属メッキ部とすると良い。
【０００７】
この考案において、前記電池カバーは本体装着時に金属メッキ部が電池のアース部に接触するように構成すると良い。
【０００８】
また、この考案において、前記メッキ部は前記電池カバーの裏面まで形成され、この裏面のメッキ部が電池のアース部に接触するようにしても良い。
【考案の効果】
【０００９】
この考案によれば、電池カバーの表面に導電部（金属メッキ部）を形成し、この導電部を握手部と兼用するものであるから、ケース本体を成型容易な樹脂等で構成でき、その上、握手部を構成する特別の金属板を必要とせず、部品点数も少なくて済み、低コストで提供できる低周波治療器を実現できる。
【考案を実施するための最良の形態】
【００１０】
以下、実施の形態により、この考案を更に詳細に説明する。図１は、この考案の一実施形態である低周波治療器の概略図である。この低周波治療器のケース体１は、外形が略ペンシル状をしているが、回路部及び電池の収納部である主部１ａは偏平形状であり、一方、電極（第１の電極導子）２が先端に設けられる先細部１ｂは、主部１ａに対し、屈曲している。主部１ａを握った（把持した）時に、生体患部に先端の電極２を当接しやすくするためである。
【００１１】
主部１ａ内には、回路部品を搭載する回路基板３ａと、電池３ｂが収納されている。また、ケース体１は本体ケース４と電池カバー５からなり、２個の電池３ｂを本体ケース４に収納した状態で、電池カバー５を装着している。本体ケース４には、外部より操作可能な出力調整ボリュウムのツマミ６と、動作繰り返しを設定するスイッチ７、更に圧痛点へのパルス印加状態を表示するＬＥＤ８を備えている。本体ケース４及び電池カバー５は、プラスチック材などの絶縁体で形成されている。もっとも、電池カバー５は表裏全面に金属のメッキ層（第２の電極導子）５ａが形成されている。もっとも、裏面にはアースとの接触部分のみにメッキ部を設けても良い。
【００１２】
図１のＡ−Ａで切断した断面図を図２に示す。図２において、本体ケース４の電池収納部４ａの上方の開口９に、電池カバー５が装着されている。電池収納部４ａ内において、一方の電池３ｂの＋電極が＋リード端子１０に接触して接続され、電池３ｂの一電極がバネ１１を介してアース端子１２に接続されている。＋リード端子１０は、図に表れていないが、もう一方の電池の−電極にバネを介して接続されている。電池カバー５を開口９に装着した状態では、電池カバー５のメッキ層５ａの一部がアース端子１２に接触している。そのため、電池カバー５の表面のメッキ層５ａはアース端子１２に接続されている。
【００１３】
図３は、実施形態低周波治療器の回路構成を示すブロック図である。この低周波治療器は、電極２と、電源（電池）３ｂと、ダイヤルスイッチ６ａと、設定スイッチ７と、ＬＥＤ８の他、定電圧回路１３と、ＭＰＵ１４と、昇圧回路１５と、出力回路１６と、タイマ１７とを備えている。
【００１４】
ダイヤルスイッチ６ａは、電源スイッチ付きのボリュウムであり、このダイヤルスイッチ６ａをオンすると、電源（電池）３ｂより定電圧回路１３を介してＭＰＵ１４に動作電圧が印加される。動作開始で、ＭＰＵは所定の周波数の低周波パルスを昇圧回路１５に入力する。昇圧回路１５は、この低周波パルスを増幅昇圧する。ダイヤルスイッチ６ａのツマミ６が「０」の位置の場合、昇圧回路１５の出力パルスは出力回路１６に入力されないが、ツマミ６を回して出力を上昇させると、応じて出力回路１６に昇圧低周波パルスが入力される。
【００１５】
この低周波治療器を用いて、患部の治療を行う場合には、使用者が例えば右手で本体ケース４、及び電池カバー５を把持して、圧痛点、つまり患部に電極２を当接させる。そして、ダイヤルスイッチ６ａをオンする。と同時に、ダイヤルのツマミ６を少し回して出力を上げる。ＭＰＵ１４よりの低周波パルスは、昇圧回路１５で昇圧され、更に出力回路１６ではダイヤルのツマミ６に応じたレベル調整値の昇圧パルスとされ、電極２に印加される。そして、低周波パルスの印加毎に電極（第１の電極導子）２→生体患部→右手→電池カバーのメッキ層（第２の電極導子）５ａ→アース端子の順に低周波電流が流れる。そして、パルス電流が流れる毎に、患部に刺激が与えられる。パルス電圧が印加される度にＬＥＤ８の点灯状態により、パルス電圧の印加されるタイミングを知ることができる。
【００１６】
タイマ１７の設定値を任意に適宜設定することにより、連続的にパルス電圧を患部に印加し、所定の時間経過後、つまりタイマ１７のタイムアップで動作を終了する。
【００１７】
この実施形態では、電池カバー５の表面に金属メッキ層５ａが形成され、これが握手部を兼ねるので、電池カバー以外に特別の第２電極導子用の部材を設ける必要がなく、その分、部品点数が少なく、低コストの低周波治療器を得ることができる。
【図面の簡単な説明】
【００１８】
【図１】この考案の一実施形態低周波治療器の外形を示す概略図である。
【図２】図１のＡ−Ａで切断した断面を示す図である。
【図３】この実施形態低周波治療器の回路構成を示すブロック図である。
【符号の説明】
【００１９】
１      ケース体
２      電極
３ａ    回路基板
３ｂ    電池
４      本体ケース
５      電池カバー
５ａ    メッキ層
６      ダイヤルツマミ
６ａ    ダイヤルスイッチ
７      設定スイッチ
８      ＬＥＤ
９      開口
１０    ＋リード端子
１１    バネ
１２    アース端子
１３    定電圧回路
１４    ＭＰＵ
１５    昇圧回路
１６    出力回路
１７    タイマ
【図１】
0003102861.tif 000003
【図２】
0003102861.tif 000004
【図３】
0003102861.tif 000005